(57)【要約】【課題】  その操作性を著しく向上させることができるようにした携帯端末装置を提供する。【解決手段】  一端部にヒンジ凸部１１ａを備える一の筐体１１と、一端部にヒンジ凸部１１ａが嵌合するヒンジ凹部２１ａを備える他の筐体２１とを有し、ヒンジ凸部１１ａとヒンジ凹部２１ａとを回動可能に連結して２つの筐体１１，２１を開閉可能に構成して成り、ヒンジ凸部１１ａに指紋認証手段４０を設けたことを特徴とする携帯端末装置３０。【選択図】      図１
2006311141.tif 000002
【特許請求の範囲】
【請求項１】
一端部にヒンジ凸部を備える一の筐体と、
一端部に前記ヒンジ凸部が嵌合するヒンジ凹部を備える他の筐体とを有し、
前記ヒンジ凸部と前記ヒンジ凹部とを回動可能に連結して前記２つの筐体を開閉可能に構成して成り、前記ヒンジ凸部に指紋認証手段を設けたことを特徴とする携帯端末装置。
【請求項２】
前記ヒンジ凸部には、前記２つの筐体の開状態において前記一の筐体又は前記他の筐体の対向面と略平行な面を有し、当該面に前記指紋認証手段の指紋読取面を設けたことを特徴とする請求項１に記載の携帯端末装置。
【請求項３】
前記一の筐体の対向面には操作部を有すると共に、前記他の筐体の対向面には表示部を有することを特徴とする請求項１又は請求項２に記載の携帯端末装置。
【請求項４】
前記一の筐体の対向面には表示部を有すると共に、前記他の筐体の対向面には操作部を有することを特徴とする請求項１又は請求項２に記載の携帯端末装置。
【請求項５】
前記ヒンジ凸部は、前記一の筐体の対向面に垂直な軸線に対して回動可能に連結してあることを特徴とする請求項１乃至請求項４のいずれか１つの請求項に記載の携帯端末装置。
【発明の詳細な説明】
【技術分野】
【０００１】
本発明は、互いに重ね合わせ可能に連結された２つの筐体を有する携帯電話機等の携帯端末装置に関し、詳しくは、指紋を認証して操作者が本人か否かを判別する指紋認証手段が設けられた携帯端末装置に関するものである。
【背景技術】
【０００２】
従来、２つの筐体が重ね合わせ可能な携帯端末装置としては、図１４に示すような、折り畳み型の携帯電話機１０が一般的に知られている。
【０００３】
この折り畳み型の携帯電話機１０は、互いに対向する対向面をそれぞれが有する２つの筐体１１，２１を備えており、これら２つの筐体１１，２１のそれぞれの一端部同士は、ヒンジ１８を構成して互に連結されている。このため、筐体２１は筐体１１に対して回動することができ、筐体２１の対向面２１１が筐体１１の対向面１１１に対して互いに接近したり離隔するよう回動することにより、２つの筐体１１，２１は、図１５に示すように閉じて重なったり、或は、図１４に示すように開いたりすることができる。
【０００４】
携帯電話機１０の一方の筐体２１の内側面、すなわち図１５に示すように、２つの筐体１１，２１が閉じて重なるように、それらを折り畳んだときに他方の筐体１１に対向する筐体２１の対向面２１１には、図１４に示すように、出力情報を表示するＬＣＤ（液晶ディスプレイ）等を用いた表示部１７が設けられている。そして、筐体２１の対向面２１１の、表示部１７より先端側（他端側）にはスピーカー１３が設けられている。
【０００５】
携帯電話機１０の他方の筐体１１の内側面、すなわち２つの筐体１１，２１が閉じて重なるようにそれらを折り畳んだときに、一方の筐体２１に対向する筐体１１の対向面１１１には、複数の操作キー１６を有する操作部１４が設けられている。そして、筐体１１の対向面１１１の、操作部１４より先端側（他端側）には、マイクロフォン３８と、その隣りに配置された、指紋認証デバイス４０が設けられている（例えば、非特許文献１参照）。
【０００６】
この指紋認証デバイス４０は、例えば、その上に左手の親指の先をベタに当てたり、或はその上を指の先でなぞることによりその指の先の指紋を読み取ることができる。ちなみに、この指紋認証デバイス４０が面センサーや光学センサーの場合は、指をその上にベタ置きすることにより指紋を読み取ることができ、指紋認証デバイス４０がラインセンサーの場合は、指をその上で一方から他方になぞることにより指紋を読み取ることができる。
【０００７】
このようにして指の先の指紋を読み取ることにより、指紋認証デバイス４０は、その指紋が予め記憶された指紋と一致するかを判別することができるようになっている。そして、その指紋が予め記憶された指紋と一致したときに限り、取扱者本人が管理している機密の記録情報を開くことができるようにすることにより、機密情報や個人情報を管理している本人以外の取扱者による盗用や漏洩を防止することができるようになっている。
【０００８】
【非特許文献１】富士通ホームページ、ＦＭＷＯＲＬＤ．ＮＥＴ：雑誌編集部が紹介する富士通の携帯電話、新機能の「指紋認証」＋１２８万画素カメラ［平成１７年３月８日検索］インターネット＜ＵＲＬ：ｈｔｔｐ：／／ｗｗｗ．ｆｍｗｏｒｌｄ．ｎｅｔ／ｐｒｏｄｕｃｔ／ｐｈｏｎｅ／ｐａｉｄｐｕｂ／ｋ−ｔａｉ＿００１／ｉｎｄｅｘ．ｈｔｍｌ＞
【発明の開示】
【発明が解決しようとする課題】
【０００９】
しかしながら、このような従来の携帯電話機１０においては、一方の筐体２１と他方の筐体１１が互いに最も接近した状態、すなわち図１５に示すように折り畳まれて重なった状態にあるときには、指紋認証デバイス４０は筐体２１により覆われてしまうのでその上に指の先を当てて使用することができない。このため、携帯電話機１０の操作性が著しく劣化してしまうという問題があった。
【００１０】
そこで本発明は、上記問題点に鑑みて、その操作性を著しく向上させることができるようにした携帯端末装置を提供することを課題とするものである。
【課題を解決するための手段】
【００１１】
上記課題を解決するために、本発明による携帯端末装置は、
一端部にヒンジ凸部を備える一の筐体と、
一端部に前記ヒンジ凸部が嵌合するヒンジ凹部を備える他の筐体とを有し、
前記ヒンジ凸部と前記ヒンジ凹部とを回動可能に連結して前記２つの筐体を開閉可能に構成して成り、前記ヒンジ凸部に指紋認証手段を設けた構成としたものである。
【００１２】
また、本発明による携帯端末装置は、
前記ヒンジ凸部には、前記２つの筐体の開状態において前記一の筐体又は前記他の筐体の対向面と略平行な面を有し、当該面に前記指紋認証手段の指紋読取面を設けた構成とすることができる。
【００１３】
また、本発明による携帯端末装置は、
前記一の筐体の対向面には操作部を有すると共に、前記他の筐体の対向面には表示部を有する構成とすることができる。
【００１４】
また、本発明による携帯端末装置においては、
前記一の筐体の対向面には表示部を有すると共に、前記他の筐体の対向面には操作部を有する構成とすることができる。
【００１５】
また、本発明による携帯端末装置は、
前記ヒンジ凸部は、前記一の筐体の対向面に垂直な軸線に対して回動可能に連結してある構成とすることができる。
【発明の効果】
【００１６】
このような、本発明による携帯端末装置によれば、２つの筐体が開いた状態のときだけでなく、それらが閉じた状態のときでも指紋認証手段を操作することができるので、携帯端末装置の操作性を著しく向上させることができる。
【発明を実施するための最良の形態】
【００１７】
以下、本発明に係る携帯端末装置の実施の形態について、図面に基づいて具体的に説明する。
【００１８】
図１ないし図６は、本発明の第１の実施の形態に係る携帯電話機３０（携帯端末装置に相当）について説明するために参照する図である。これらの図に示す携帯電話機３０は、前記従来の携帯電話機１０と同様の部分には同じ符号を付して説明するものとする。
【００１９】
この第１の実施の形態に係る携帯電話機３０は、図１に示すように、互いに対向する対向面をそれぞれが有する第１筐体１１と第２筐体２１を備えており、これら２つの筐体１１，２１のそれぞれの一端部同士は、ヒンジ１８を構成して互に連結されている。
【００２０】
このため、第２筐体２１は第１筐体１１に対して回動することができ、第２筐体２１の対向面２１１が第１筐体１１の対向面１１１に対して、互いに接近したり離隔するよう回動することにより２つの筐体２１，１１は、図２に示すように閉じて重なったり、或は図１に示すように開いたりすることができる。
【００２１】
図２に示すように、携帯電話機３０の２つの筐体１１，２１が閉じて重なるようにそれらを折り畳んだときに、第１筐体１１に対向する第２筐体２１の対向面２１１（図１参照）には、出力情報を表示するＬＣＤ（液晶ディスプレイ）等を用いた表示部１７が設けられている。そして、第２筐体２１の対向面２１１の、表示部１７より先端側（他端側）にはスピーカー１３が設けられている。
【００２２】
また、２つの筐体１１，２１を折り畳んだときに第２筐体２１に対向する第１筐体１１の対向面１１１（図１参照）には、複数の操作キー１６を有する操作部１４が設けられている。そして、第１筐体１１の対向面１１１の、操作部１４より先端側（他端側）には、マイクロフォン３８が設けられている。
【００２３】
ヒンジ１８は、その軸線方向中央部にヒンジ凸部１１ａが配置され、このヒンジ凸部１１ａは、第１筐体１１の一端部における対向面１１１から突出するように設けられている。また、第２筐体２１の一端部における幅方向中央部にはヒンジ凹部２１ａが形成され、このヒンジ凹部２１ａには上記ヒンジ凸部１１ａが嵌合するようになっている。
【００２４】
そして、第２筐体２１のヒンジ凹部２１ａの両側のヒンジ凸部２１ｂと、第１筐体１１側のヒンジ凸部１１ａの軸線部には図示してない軸部材が挿通されて、この軸部材の回りに第２筐体２１が回動するようになっている。
【００２５】
図１に示すように、第１筐体１１のヒンジ凸部１１ａの上端部には指紋認証デバイス４０（指紋認証手段）が設けられている。この指紋認証デバイス４０は、例えば、その上に左手の親指の先をベタに当てたり、或はその上を指の先でなぞることにより、その指の先の指紋を読み取ることができる。
【００２６】
ちなみに、この指紋認証デバイス４０が面センサーや光学センサーの場合は、指をその上にベタ置きすることにより指紋を読み取ることができ、指紋認証デバイス４０がラインセンサーの場合は、指をその上で一方から他方になぞることにより指紋を読み取ることができる。
【００２７】
このようにして指の先の指紋を読み取ることにより、指紋認証デバイス４０は、その指紋が予め記憶された指紋と一致するかを判別することができるようになっている。そして、その指紋が予め記憶された指紋と一致したときに限り、取扱者本人が管理している機密の記録情報を開くことができるようにすることにより、機密情報や個人情報を管理している本人以外の取扱者による情報の盗用や漏洩を防止することができるようになっている。
【００２８】
ヒンジ凸部１１ａの上端部には、指紋認証デバイス４０が覗くようにそれを取付けるための取付面１１ｂが形成されている。そして、この取付面１１ｂは、第１筐体１１の対向面１１１に対して傾斜するように形成されていると共に、図２に示すように閉じた状態のときに、第２筐体２１の対向面２１１（図中下面）及びその裏の面（図中上面）に対して傾斜するように形成されている。また、取付面１１ｂは特定の開状態において第２筐体２１の対向面２１１と略平行となるように構成してある。
【００２９】
図５に示すように、指紋認証デバイス４０は、第１筐体１１のヒンジ凸部１１ａ内に設けられた固定用ホルダ３３に装着され、指紋認証デバイス４０の周部と、ヒンジ凸部１１ａの指紋認証デバイス４０が覗く窓の縁部との間には、スポンジもしくはゴム等の弾性体３５が介装されている。
【００３０】
そして、この弾性体３５と固定用ホルダ３３との間に、指紋認証デバイス４０が挟まれて固定されている。また、指紋認証デバイス４０は、導通ケーブルもしくはフレキシブル回路等の導通部材３６を介して、回路基板４３のコネクタ４３ａと電気的に導通されている。そして、回路基板４３の下方にはバッテリー４５が配置されている。
【００３１】
図６は、携帯電話機３０の回路構成を示すブロック図である。携帯電話機３０は、すでに説明した操作部１４、表示部１７、スピーカー１３及びマイクロホン３８の他に、無線部３２、記憶部３４を備えており、これらは制御部４２に制御されて動作するように制御部４２に電気的に接続されている。
【００３２】
ここで、操作部１４、表示部１７、無線部３２、記憶部３４、制御部４２、スピーカー１３及びマイクロホン３８は、従来の一般的な携帯電話機における通信動作と同様に動作するものである。
【００３３】
このような本発明の第１の実施の形態に係る携帯電話機３０の使用方法について、以下に説明する。
図１に示すように携帯電話機３０を、第１筐体１１の対向面１１１から対向面２１１が離れる方向に第２筐体２１を回動させて開いた状態にして、操作部１４の各種操作キー１６を操作することにより、携帯電話機３０は一般的な携帯電話機として使用することができる。
【００３４】
指紋認証デバイス４０を操作するときは、図１に示すように、左手Ｈで携帯電話機３０の第１筐体１１を把持した状態から、図３に示すように、左手Ｈの親指の先を指紋認証デバイス４０に当てたりなぞる動作をする。すると、指紋認証デバイス４０はその親指の先の指紋を読み取って、その指紋が記憶部３４に予め記憶された指紋と一致するかを判別する。
【００３５】
そして、その指紋が予め記憶された指紋と一致すると判別されたときは、現在の取扱者が機密に記録情報を管理している本人であると判別されて、本人である取扱者は機密の記録情報を開くことができ、本人がそれを読んだり、書き込んで内容を更新したりすることができるようになっている。
【００３６】
その指紋が予め記憶された指紋と一致しないと判別されたときは、現在の取扱者が機密の記録情報を管理している本人ではないと判別されて、取扱者はその機密の記録情報を開くことができない。このことにより、それを管理している本人の機密情報や個人情報等の記録情報の、本人ではない取扱者による盗用や漏洩を防止することができる。
【００３７】
図１に示す開いた状態の携帯電話機３０の、第２筐体２１の対向面２１１を第１筐体１１の対向面１１１に近づけるように回動すると、終には図２に示すように、携帯電話機３０は閉じて第２筐体２１と第１筐体１１は互に重なった状態となる。この状態のときには、同図に示すように、第２筐体２１のヒンジ凹部２１ａから、ヒンジ凸部１１ａに設けられた指紋認証デバイス４０が上部に向けて露出している。
【００３８】
このため、図４に示すように、携帯電話機３０が閉じた状態においても、それを把持した左手Ｈの親指の先を指紋認証デバイス４０に当てたりなぞる動作をすることができ、このことにより指紋認証デバイス４０はその親指の先の指紋を読み取って、上記と同様の指紋認証動作をすることができる。
【００３９】
このように、本実施の形態によれば、図１に示すように筐体１１と２１が開いた状態のときだけでなく、図２に示すように閉じた状態のときでも指紋認証デバイス４０を操作することができるので、携帯電話機３０の操作性を著しく向上させることができる。
【００４０】
また、従来の携帯電話機１０は、筐体１１の、ヒンジ１８と反対側の端部に指紋認証デバイス４０が設けられていたので、左手Ｈの親指から遠い位置に配置されていたため操作し難く、場合によっては右手で指紋認証デバイス４０を操作しなければならない等、著しく操作性が悪かった。
【００４１】
これに対して、この本発明の第１の実施の形態においては、指紋認証デバイス４０がヒンジ１８のヒンジ凸部１１ａに設けられているので、左手Ｈの親指から近い位置に配置されているため操作し易く、このため携帯電話機３０の操作性を著しく向上させることができる。
【００４２】
また、図２に示すように、指紋認証デバイス４０が設けられているヒンジ凸部１１ａの取付面１１ｂが第１筐体１１の対向面１１１やこれに平行な面に対して傾いて形成されているので、指紋認証デバイス４０を下に向けて携帯電話機３０をどこかに置いても、指紋認証デバイス４０が何かと接触して傷付くのを防止することができる。
【００４３】
また、第１筐体１１のヒンジ凸部１１ａに指紋認証デバイス４０を設けたことにより、第１筐体１１の対向面１１１に指紋認証デバイス４０を設けなくともよいので、第１筐体１１、ひいては携帯電話機３０が大型化するのを防止することができる。
【００４４】
図７，８は、本発明の第２の実施の形態に係る携帯電話機５０について説明するために参照する図である。前記第１の実施の形態に係る携帯電話機３０にあっては、第２筐体２１が第１筐体１１に対して、ヒンジ１８の軸線回りに回動するようになっていた。
【００４５】
これに対して、この第２の実施の形態に係る携帯電話機５０においては、第２筐体２１が第１筐体１１に対してヒンジ１８の軸線回りに回動するようになっているだけでなく、ヒンジ１８のヒンジ凸部１１ａが、第１筐体１１の対向面１１１に対して垂直方向に伸びる軸線の回りにも回動することができるようになっている点において、前記第１の実施の形態と異なっている。
【００４６】
このため、図７に示すように携帯電話機５０が開いた状態から、第２筐体２１を、第１筐体１１に対してその操作面１４のある操作面と同一平面内において、ヒンジ凸部１１ａがその操作面に対して垂直に伸びる軸線の回りに矢印Ａ方向に回動することにより、図８に示すように、第２筐体２１が第１筐体１１の操作面に接触して重なった状態になることができる。したがって、図８に示す第２筐体２１の表示部１７は、図７に示すと同様に上方に向いたままになっている。
【００４７】
このような本発明の第２の実施の形態によっても、図７に示すように第１筐体１１と第２筐体２１が開いた状態のときだけでなく、図８に示すように第１筐体１１と第２筐体２１が重なった状態のときでも、指紋認証デバイス４０が上方に露出してそれを操作することができるので、携帯電話機５０の操作性を著しく向上させることができる。
【００４８】
図９ないし図１１は、本発明の第３の実施の形態に係る携帯電話機６０について説明するために参照する図である。前記第１の実施の形態にあっては、ヒンジ凸部１１ａが第１筐体１１の側に設けられていたのに対し、この第３の実施の形態に係る携帯電話機６０においては、ヒンジ凸部２１ｃが第２筐体２１の側に設けられている点において、前記第１の実施の形態と異なっている。
【００４９】
したがって上記ヒンジ凸部２１ｃは、第１筐体１１のヒンジ凹部１１ｃに嵌合して、このヒンジ凹部１１ｃの両側のヒンジ凸部１１ｄと共にヒンジ２９を構成している。このため、第２筐体２１はヒンジ２９の軸線回りに回動することができ、その表示部１７のある対向面２１１が、第１筐体１１の操作部１４のある対向面１１１に対して互いに接近したり離隔して、携帯電話機６０は図１０に示すように閉じたり、図９に示すように開いたりすることができる。
【００５０】
そして、このような第３の実施の形態においても、ヒンジ凸部２１ｃに指紋認証デバイス４０が設けられている。このため、図９に示すように、携帯電話機６０の筐体２１と１１が開いた状態において指紋認証デバイス４０を使用することができる点においては、前記第１の実施の形態と同様である。
【００５１】
図９に示すように開いた状態から、第２筐体２１を矢印Ｂ方向に回動させると、図１０に示すように、携帯電話機６０の筐体２１と１１は閉じて重なった状態となる。この状態から携帯電話機６０を、その長さ方向（又はその幅方向）に伸びる中心軸線Ｒの回りに（例えば矢印Ｃ方向に）１８０°回転させて裏返しにすると、図１１に示すように、指紋認証デバイス４０が上方に向けて露出した状態となる。
【００５２】
このため、携帯電話機６０の筐体２１と１１が開いた状態のときだけでなく、閉じた状態のときでも指紋認証デバイス４０を操作することができるので、携帯電話機６０の操作性を著しく向上させることができる。
【００５３】
図１２，１３は、本発明の第４の実施の形態に係る携帯電話機７０について説明するために参照する図である。前記第１の実施の形態にあっては、指紋認証デバイス４０がヒンジ凸部１１ａの、第１筐体１１の対向面１１１に対して傾いた取付面１１ｂに設けられた場合について説明したが、この第４の実施の形態に係る携帯電話機７０においては、図１２に示すように、指紋認証デバイス４０が、ヒンジ凸部１１ｅの、第１筐体１１の対向面１１１に対して傾くことなく、対向面１１１にほぼ平行な取付面１１ｆに設けられている。
【００５４】
そして、携帯電話機７０が開いているときは第２筐体２１の対向面２１１よりも少し引っ込むと共に、携帯電話機７０が閉じているときは、図１３に示すように、第２筐体２１の対向面２１１の裏側の外側面（図中上面）から少し引っ込んだ取付面１１ｆに設けられている点において、前記第１の実施の形態と異なっている。
【００５５】
図１２に示すように携帯電話機７０が開いた状態においては、図３に示すと同様に、左手Ｈの親指の先を指紋認証デバイス４０に当てたりなぞったりすることにより、指紋認証デバイス４０に指紋認証動作を行なわせることができる。そして、図１３に示す携帯電話機７０の閉じた状態においても、図４に示すと同様に、左手の親指の先を指紋認証デバイス４０に当てたりなぞったりすることにより、指紋認証デバイス４０に指紋認証動作を行なわせることができる。
【００５６】
このような第４の実施の形態によっても、携帯電話機７０の筐体１１と２１が開いた状態のときだけでなく、それらが閉じた状態のときでも指紋認証デバイス４０を操作することができるので、携帯電話機７０の操作性を著しく向上させることができる。
【００５７】
また、指紋認証デバイス４０が、ヒンジ凸部１１ｅの、第２筐体２１の対向面２１１やその裏側の外側面から少し引っ込んだ取付面１１ｆに設けられているので、指紋認証デバイス４０を下に向けて携帯電話機７０をどこかに置いても、指紋認証デバイス４０が傷付くのを防止することができる。
【００５８】
なお、前記実施の形態においては本発明を携帯電話機に適用した場合について説明したが、本発明はＰＤＡ（Ｐｅｒｓｏｎａｌ  Ｄｉｇｉｔａｌ  Ａｓｓｉｓｔａｎｔ）等の、他のどのような種類の携帯端末装置にも、同様に適用することができる。
【図面の簡単な説明】
【００５９】
【図１】本発明の第１の実施の形態に係る携帯電話機３０の開いた状態を示す斜視図である。
【図２】図１における携帯電話機３０の閉じた状態を示す斜視図である。
【図３】図１の携帯電話機３０における指紋認証デバイス４０の使用状態を示す斜視図である。
【図４】図２の携帯電話機３０における指紋認証デバイス４０の使用状態を示す斜視図である。
【図５】図４における携帯電話機３０のＸ−Ｘ線矢視断面図である。
【図６】図１における携帯電話機３０の回路構成を示すブロック図である。
【図７】本発明の第２の実施の形態に係る携帯電話機５０の開いた状態を示す斜視図である。
【図８】図７における携帯電話機５０の閉じた状態を示す斜視図である。
【図９】本発明の第３の実施の形態に係る携帯電話機６０の開いた状態を示す斜視図である。
【図１０】図９における携帯電話機６０の閉じた状態を示す斜視図である。
【図１１】図１０における携帯電話機６０を１８０°裏返しにした状態を示す斜視図である。
【図１２】本発明の第４の実施の形態に係る携帯電話機７０の開いた状態を示す斜視図である。
【図１３】図１２における携帯電話機７０の閉じた状態を示す斜視図である。
【図１４】従来の携帯電話機１０の開いた状態を示す斜視図である。
【図１５】図１４における携帯電話機１０の閉じた状態を示す斜視図である。
【符号の説明】
【００６０】
１０  携帯電話機
１１  第１筐体
１１ａ  ヒンジ凸部
１１ｂ  取付面
１１ｃ  ヒンジ凹部
１１ｄ，１１ｅ  ヒンジ凸部
１１ｆ  取付面
１３  スピーカー
１４  操作部
１６  操作キー
１７  表示部
１８  ヒンジ
２１  第２筐体
２１ａ  ヒンジ凹部
２１ｂ，２１ｃ  ヒンジ凸部
２９  ヒンジ
３０  携帯電話機
３２  無線部
３３  固定用ホルダ
３４  記憶部
３５  弾性体
３６  導通部材
３８マイクロフォン
４０  指紋認証デバイス
４２  制御部
４３  回路基板
４３ａ  コネクタ
４５  バッテリー
５０，６０，７０  携帯電話機
１１１，２１１  対向面
Ｈ  左手
【図１】
2006311141.tif 000003
【図２】
2006311141.tif 000004
【図３】
2006311141.tif 000005
【図４】
2006311141.tif 000006
【図５】
2006311141.tif 000007
【図６】
2006311141.tif 000008
【図７】
2006311141.tif 000009
【図８】
2006311141.tif 000010
【図９】
2006311141.tif 000011
【図１０】
2006311141.tif 000012
【図１１】
2006311141.tif 000013
【図１２】
2006311141.tif 000014
【図１３】
2006311141.tif 000015
【図１４】
2006311141.tif 000016
【図１５】
2006311141.tif 000017